Podtech/llm-jp-corpus-v4-ja_patent huggingface dataset:
【手続補正書】
【提出日】平成23年4月22日(2011.4.22)
【手続補正１】
【補正対象書類名】特許請求の範囲
【補正対象項目名】全文
【補正方法】変更
【補正の内容】
【特許請求の範囲】
【請求項１】
遊技盤の遊技領域に設けられた複数の入賞口と、
該複数の入賞口のうち始動口への遊技球の入球に基づいて遊技者に所定の利益を付与する利益付与状態に制御するか否か判定する当落判定手段と、
該当落判定手段の判定結果に基づいて複数の表示領域の各々にて複数種類の図柄情報を変動表示して所定の表示結果を導出表示する表示手段と、
該表示手段を前記当落判定手段の判定結果に応じた態様で表示制御する表示制御手段と、を備え、
前記当落判定手段によって前記利益付与状態に制御すると判定された場合に前記表示手段に特定表示結果を導出表示した後、前記利益付与状態に制御する遊技機において、
前記表示制御手段は、
前記当落判定手段の判定結果に応じた前記複数種類の図柄情報の変動開始後の少なくとも前記複数の表示領域のうちリーチ状態を形成する表示領域に前記図柄情報が導出表示されるまでのリーチ図柄情報変動時間が異なる複数種類の変動表示態様を記憶する変動表示態様記憶手段と、
前記当落判定手段による判定がなされたことに応じて、前記複数種類の変動表示態様のうち当該判定結果に応じた変動表示態様を選択する変動表示態様選択手段と、
該変動表示態様選択手段が選択した前記変動表示態様に応じて前記複数の表示領域の各々にて前記複数種類の図柄情報を変動表示して前記当落判定手段の判定結果に応じた表示結果を導出表示する変動表示制御手段と、
所定の指令情報を通知するか否かを判定する指令情報通知判定手段と、
該指令情報通知判定手段が前記指令情報を通知すると判定した場合に当該指令情報を通知する指令情報通知手段と、
該指令情報通知手段が通知する前記指令情報として、前記リーチ状態を形成する表示領域に表示するリーチ図柄情報を前記複数種類の図柄情報のうちいずれかに決定するリーチ図柄情報決定手段と、を備え、
前記変動表示制御手段は、
前記指令情報通知手段が前記指令情報を通知した後、複数回の変動表示を実行可能な有効時間内のいずれかの変動表示において前記当落判定手段が前記利益付与状態に制御すると判定した場合には、前記特定表示結果を導出表示する以前に前記リーチ図柄情報決定手段が決定した前記リーチ図柄情報による前記リーチ状態を表示する一方、前記有効時間内のいずれかの変動表示において前記当落判定手段が前記利益付与状態に制御しないと判定した場合には、前記特定表示結果とは異なる非特定表示結果を導出表示する以前に前記リーチ図柄情報決定手段が決定した前記リーチ図柄情報とは異なるリーチ図柄情報による前記リーチ状態若しくは前記リーチ状態とは異なる非リーチ状態を表示し、
前記変動表示態様選択手段は、前記有効時間内の前記複数回の変動表示の最後の変動表示を開始する場合には、前記複数種類の変動表示態様のうち前記リーチ状態及び前記非リーチ状態の表示時期を通常よりも遅延させた変動表示態様を選択することが可能であることを特徴とする遊技機。
【請求項２】
前記遊技領域に向けて遊技球を打ち込む発射手段を備えることを特徴とする請求項１記載の遊技機。
【請求項３】
前記複数の入賞口のうち大入賞口を開閉制御して前記利益付与状態に制御する大入賞口開閉制御手段を備えることを特徴とする請求項１又は請求項２に記載の遊技機。
【手続補正２】
【補正対象書類名】明細書
【補正対象項目名】００１０
【補正方法】変更
【補正の内容】
【００１０】
請求項１記載の遊技機によれば、当落判定手段の判定結果に応じて前記複数種類の図柄情報の変動開始後の少なくとも複数の表示領域のうちリーチ状態を形成する表示領域に図柄情報が導出表示されるまでのリーチ図柄情報変動時間が異なる複数種類の変動表示態様のいずれかを選択し、該選択した変動表示態様に応じて複数の表示領域の各々にて複数種類の図柄情報を変動表示して当落判定手段の判定結果に応じた表示結果を導出表示する。また、所定の指令情報を通知し、複数回の変動表示を実行可能な有効時間内のいずれかの変動表示にて利益付与状態に制御すると判定した場合には特定表示結果を導出表示する以前に通知したリーチ図柄情報によるリーチ状態を表示する一方、有効時間内の複数回の変動表示のいずれかの変動表示にて利益付与状態に制御しないと判定した場合には非特定表示結果を導出表示する以前に通知したリーチ図柄情報とは異なるリーチ図柄情報によるリーチ状態若しくはリーチ状態とならない非リーチ状態を表示するため、通知したリーチ図柄情報によるリーチ状態を表示するか否かによって特定表示結果を導出表示する以前に利益付与状態に制御するか否かを判別することができ、有効時間内にリーチ状態を形成する表示領域に表示される図柄情報に注目させることが可能となる。
また、有効時間内の複数回の変動表示の最後の変動表示を開始する場合には、リーチ状態及び非リーチ状態の表示時期を通常よりも遅延させた変動表示態様を選択することが可能であるため、リーチ状態及び非リーチ状態の表示時期を通常よりも遅延させた変動表示態様を選択して通常の表示時期よりも遅延させてリーチ状態及び非リーチ状態を表示した場合に、リーチ状態及び非リーチ状態が通常の表示時期に表示されないことを把握した遊技者に有利な状態に制御されるのではないかという期待を抱かせることができ、遊技興趣の低下を抑止できる。また、利益付与状態に制御しない場合であっても通常よりも遅延させた表示時期でリーチ状態及び非リーチ状態が表示されることによって有効期間の終了後に有利な状態に制御されるのではないかという期待を抱かせることができ、遊技興趣の低下を抑止できる。さらに、有効時間内に遊技者が関心を抱く、指令情報に関係する演出である充足演出及び非充足演出の実行のタイミングを変化させるため、単調な遊技に変化を与えることができ、遊技興趣の低下を抑制可能である。
また、遊技領域に向けて遊技球を打ち込む発射手段を備えるようにしてもよい。
また、複数の入賞口のうち大入賞口を開閉制御して利益付与状態に制御する大入賞口開閉制御手段を備えるようにしてもよい。
【手続補正書】
【提出日】平成23年4月22日(2011.4.22)
【手続補正１】
【補正対象書類名】特許請求の範囲
【補正対象項目名】全文
【補正方法】変更
【補正の内容】
【特許請求の範囲】
【請求項１】
遊技盤の遊技領域に設けられた複数の入賞口と、
該複数の入賞口のうち始動口への遊技球の入球に基づいて遊技者に所定の利益を付与する利益付与状態に制御するか否か判定する当落判定手段と、
該当落判定手段の判定結果に基づいて複数種類の図柄情報を変動表示して所定の表示結果を導出表示する表示手段と、
該表示手段を前記当落判定手段の判定結果に応じた態様で表示制御する表示制御手段と、を備え、
前記当落判定手段によって前記利益付与状態に制御すると判定された場合に前記表示手段に特定表示結果を導出表示した後、前記利益付与状態に制御する遊技機において、
前記表示制御手段は、
所定の指令情報を通知するか否かを判定する指令情報通知判定手段と、
該指令情報通知判定手段が前記指令情報を通知すると判定した場合に当該指令情報を通知する指令情報通知手段と、
該指令情報通知手段が前記指令情報を通知した後、複数回の変動表示を実行可能な有効時間内に前記当落判定手段の判定がなされたことに応じて、通知した前記指令情報を充足する充足演出と、通知した前記指令情報を充足しない非充足演出と、のいずれかを実行する充足演出実行手段と、を備え、
前記充足演出実行手段は、
前記有効時間内の前記複数回の変動表示のいずれかの変動表示において前記利益付与状態に制御すると判定した場合には、当該判定結果に応じた前記複数種類の図柄情報の変動開始から前記特定表示結果を導出表示するまでに前記充足演出を実行する一方、前記有効時間内の前記複数回の変動表示のいずれかの変動表示において前記利益付与状態に制御しないと判定した場合には、当該判定結果に応じた前記複数種類の図柄情報の変動開始から前記特定表示結果とは異なる非特定表示結果を導出表示するまでに前記非充足演出を実行し、
前記有効時間内の前記複数回の変動表示の最後の変動表示において、前記充足演出及び前記非充足演出を実行するまでの演出待機時間を通常よりも延長して前記充足演出及び前記非充足演出を実行することを特徴とする遊技機。
【請求項２】
前記遊技領域に向けて遊技球を打ち込む発射手段を備えることを特徴とする請求項１記載の遊技機。
【請求項３】
前記複数の入賞口のうち大入賞口を開閉制御して前記利益付与状態に制御する大入賞口開閉制御手段を備えることを特徴とする請求項１又は請求項２に記載の遊技機。
【手続補正２】
【補正対象書類名】明細書
【補正対象項目名】００１０
【補正方法】変更
【補正の内容】
【００１０】
解決手段１記載の遊技機によれば、所定の指令情報を通知し、有効時間内の複数回の変動表示のいずれかの変動表示にて利益付与状態に制御すると判定した場合には特定表示結果を導出表示する以前に通知した指令情報を充足する充足演出を実行する一方、有効時間内の複数回の変動表示のいずれかの変動表示にて利益付与状態に制御しないと判定した場合には非特定表示結果を導出表示する以前に通知した指令情報を充足しない非充足演出を実行するため、通知した指令情報を充足する充足演出が実行されるか通知した指令情報を充足しない非充足演出が実行されるかに注目させることによって図柄情報の変動表示によって実行される通常の遊技に変化を与えることができ、遊技興趣の低下を抑止できる。
また、有効時間内の複数回の変動表示の最後の変動表示において、充足演出及び非充足演出を実行するまでの演出待機時間を有効時間内で延長して通常よりも遅いタイミングで充足演出及び非充足演出を実行するため、充足演出及び非充足演出が通常のタイミングで実行されないことを把握した遊技者に有利な状態に制御されるのではないかという期待を抱かせることができ、遊技興趣の低下を抑止できる。また、利益付与状態に制御しない場合であっても非充足演出が通常よりも遅いタイミングで実行されることによって有効期間の終了後に有利な状態に制御されるのではないかという期待を抱かせることができ、遊技興趣の低下を抑止できる。さらに、有効時間内に遊技者が関心を抱く、指令情報に関係する演出である充足演出及び非充足演出の実行のタイミングを変化させるため、単調な遊技に変化を与えることができ、遊技興趣の低下を抑制可能である。
また、遊技領域に向けて遊技球を打ち込む発射手段を備えるようにしてもよい。
また、複数の入賞口のうち大入賞口を開閉制御して利益付与状態に制御する大入賞口開閉制御手段を備えるようにしてもよい。
【手続補正書】
【提出日】平成23年5月18日(2011.5.18)
【手続補正１】
【補正対象書類名】特許請求の範囲
【補正対象項目名】全文
【補正方法】変更
【補正の内容】
【特許請求の範囲】
【請求項１】
遊技領域内に配置され遊技媒体が入賞可能な始動口と、
該始動口に遊技媒体が入賞したことを検出する入賞状態検出手段と、
該入賞状態検出手段による前記遊技媒体の検出に基づいて抽選を行う抽選手段と、
所定の開閉動作を行い、閉状態から開状態に変化したときに前記遊技媒体が入賞可能となる開閉入賞装置と、
前記抽選手段の抽選結果が当りである場合には、前記開閉入賞装置の開閉動作を行うことで、遊技者に利益を付与する利益付与状態に制御する利益付与状態制御手段と、
前記利益付与状態後の抽選において前記利益付与状態に制御される確率を通常時よりも高い高確率状態に制御する高確率状態制御手段と、を備えた遊技機において、
前記抽選手段の抽選結果が当りとなるのを契機として、前記利益付与状態後の抽選において前記高確率状態に制御することで、前記利益付与状態が連続的に繰り返される態様を複数回にわたって制御可能とする連続利益付与状態制御手段と、
該連続利益付与状態制御手段により制御可能とする前記利益付与状態の回数を複数種類記憶する利益付与回数記憶手段と、
前記複数種類の利益付与状態の回数からいずれかの回数を決定する利益付与回数決定手段と、をさらに備え、
前記連続利益付与状態制御手段は、前記利益付与回数決定手段の決定結果に基づく利益付与状態の回数に達するまで、前記抽選手段の抽選結果が当りとなるごとに前記利益付与状態に制御することを特徴とする遊技機。
【請求項２】
前記遊技領域に向けて遊技媒体を打ち込む発射手段を備えることを特徴とする請求項１記載の遊技機。
【請求項３】
前記入賞状態検出手段による前記遊技媒体の検出に基づいて乱数を取得する乱数取得手段を備え、
前記抽選手段は、前記乱数取得手段により取得された乱数に基づいて抽選を行うことを特徴とする請求項１または請求項２に記載の遊技機。
【手続補正書】
【提出日】平成23年3月7日(2011.3.7)
【手続補正１】
【補正対象書類名】特許請求の範囲
【補正対象項目名】全文
【補正方法】変更
【補正の内容】
【特許請求の範囲】
【請求項１】
捕集層と空間形成層とを有する積層フィルタであって、
前記積層フィルタは、前記空間形成層が、流体吸入の下流側に位置するように使用されるものであり、
前記空間形成層は、０．３ｋＰａ荷重下において、該空間形成層の見掛けの体積中に占める、該空間形成層の構成材料の体積の割合（％）である充填率が１〜７％であり、かつ同荷重下における厚みが１〜１２ｍｍであり、
前記捕集層が、繊維径７〜３５μｍの不織布からなる積層フィルタ。
【請求項２】
前記空間形成層が、遮蔽部を有する取り付け部材に対向するように、該取り付け部材に取り付けられて使用されるものである請求項１記載の積層フィルタ。
【請求項３】
前記空間形成層の通気度が４００〜１０００ｍ／（ｋＰａ・ｓ）であり、
前記捕集層の通気度が２５〜４００ｍ／（ｋＰａ・ｓ）である請求項１又は２記載の積層フィルタ。
【請求項４】
前記空間形成層は、その破断強度が１〜１５０Ｎ／２５ｍｍであるか、又は０．５Ｎ／２５ｍｍの引張応力を加えたときの伸度が１〜１５％である請求項３記載の積層フィルタ。
【請求項５】
前記空間形成層が、不織布に立体的な二次加工を施したものからなる請求項３又は４記載の積層フィルタ。
【請求項６】
前記空間形成層が、スパンボンド不織布にスチールマッチエンボス加工を施したものからなる請求項５記載の積層フィルタ。
【請求項７】
前記捕集層が、外方を向く第１層と、前記空間形成層の側を向く第２層とを有し、第２層の構成繊維の表面が撥油性を有しており、
油捕集用フィルタとして用いられる請求項１ないし６のいずれかに記載の積層フィルタ。
【請求項８】
前記空間形成層の構成繊維の表面が撥油性を有しており、油捕集用フィルタとして用いられる請求項１ないし７のいずれかに記載の積層フィルタ。
【手続補正書】
【提出日】平成23年5月12日(2011.5.12)
【手続補正１】
【補正対象書類名】特許請求の範囲
【補正対象項目名】全文
【補正方法】変更
【補正の内容】
【特許請求の範囲】
【請求項１】
遊技機各部に電力を供給する電力供給手段と、
前記電力供給手段から電力を受けて駆動される複数の駆動手段と、
前記各駆動手段を駆動制御する駆動制御手段と、
を備えた遊技機において、
前記駆動制御手段は、前記各駆動手段を制御してその駆動が確認可能となる点検動作を前記各駆動手段について実行させるとともに、前記各駆動手段のうち第１駆動手段及び第２駆動手段の点検動作を期間の重複なく実行させる点検制御手段を有することを特徴とする遊技機。
【請求項２】
遊技機各部に電力を供給する電力供給手段と、
前記電力供給手段から電力を受けて駆動される複数の駆動手段と、
前記各駆動手段を駆動制御する駆動制御手段と、
を備えた遊技機において、
前記駆動制御手段は、前記各駆動手段を制御してその駆動が確認可能となる点検動作を前記各駆動手段について実行させるとともに、前記各駆動手段のうち第１駆動手段の点検動作が終了した場合に第２駆動手段の点検動作を開始させる点検制御手段を有することを特徴とする遊技機。
【請求項３】
前記点検制御手段は、前記第１駆動手段の点検動作を実行している期間の少なくとも一部において前記各駆動手段のうち前記第１駆動手段及び前記第２駆動手段よりもその駆動に係る消費電力が小さい第３駆動手段の点検動作を実行させることを特徴とする請求項１又は２に記載の遊技機。
【請求項４】
遊技機各部に電力を供給する電力供給手段と、
前記電力供給手段から電力を受けて駆動される複数の駆動手段と、
前記各駆動手段を駆動制御する駆動制御手段と、
を備えた遊技機において、
前記駆動制御手段は、
遊技の進行に伴い前記各駆動手段を駆動制御する遊技駆動制御手段と、
前記各駆動手段を制御してその駆動が確認可能となる点検動作を前記各駆動手段について実行させるとともに、前記遊技駆動制御手段による駆動制御の場合に使用される最大電力を超えないよう各駆動手段の点検動作の期間をずらして実行させる点検制御手段と、
を有することを特徴とする遊技機。
【請求項５】
前記複数の駆動手段として複数のスピーカを備え、
前記点検制御手段は、前記各スピーカの点検動作を、期間の重複なく順次実行させることを特徴とする請求項１乃至４のいずれか１に記載の遊技機。
【手続補正２】
【補正対象書類名】明細書
【補正対象項目名】０００９
【補正方法】削除
【補正の内容】
【手続補正書】
【提出日】平成23年2月2日(2011.2.2)
【手続補正１】
【補正対象書類名】特許請求の範囲
【補正対象項目名】全文
【補正方法】変更
【補正の内容】
【特許請求の範囲】
【請求項１】
照明光を射出する照明光用光源を有する照明光ユニットと、
該照明光ユニットと着脱自在に接続され、励起光を射出する励起光用光源を有する励起光ユニットと、
前記照明光または前記励起光を導光して被観察部へ照射する第1導光手段と、
前記照明光が照射された前記被観察部の反射光からなる像または前記励起光が照射された前記被観察部から発せられる蛍光からなる像を撮像する撮像手段と、
該撮像手段により撮像された前記反射光からなる像に基づいて通常画像を生成し、また該撮像素子により撮像された前記蛍光からなる像に基づいて蛍光画像を生成する画像処理手段とを備えた蛍光内視鏡装置であって、
前記励起光ユニットが前記照明光ユニットへ接続されているか否かを検知する検知手段と、
該検知手段により前記励起光ユニットが前記照明光ユニットへ接続されていることが検知されていない場合には、前記励起光が前記励起光ユニットから射出することを阻止する阻止手段とを備えることを特徴とする蛍光内視鏡装置。
【請求項２】
前記照明光ユニットが、前記励起光を導光する第２導光手段を有し、
前記励起光ユニットが、外部へ延伸され、前記励起光を導光する第３導光手段を有し、
前記検知手段が、前記第２導光手段と前記第３導光手段とが光学的に接続されているか否かを検知するものであることを特徴とする請求項1記載の蛍光内視鏡装置。
【請求項３】
前記励起光ユニットが、前記励起光用光源を駆動する励起光用駆動部を備えるものであり、
前記阻止手段が、前記励起光が前記励起光ユニットから射出することを阻止する場合には、前記励起光用駆動部と前記励起光用光源との電気的接続を阻止するものであることを特徴とする請求項１または２記載の蛍光内視鏡装置。
【請求項４】
前記照明光ユニットが、前記照明光用光源を駆動する照明光用駆動部と、該照明光用駆動部を制御する照明光制御部とを備えるものであり、
前記励起光ユニットが、前記励起光用光源を駆動する励起光用駆動部と、該励起光用駆動部を制御する励起光制御部とを備えるものであり、
前記検知手段が、さらに前記照明光制御部と前記励起光制御部とが電気的に接続されているか否かを検知するものであることを特徴とする請求項1から３いずれか1項記載の蛍光内視鏡装置。
【請求項５】
前記照明光の射出および通常画像の生成を行う通常画像モードまたは前記励起光の射出および蛍光画像の生成を行う蛍光画像モードにより動作するものであり、
前記検知手段により前記励起光ユニットが前記照明光ユニットへ接続されていることが検知されていない場合には、前記蛍光画像モードによる動作を行わないものであることを特徴とする請求項１から４記載の蛍光内視鏡装置。
【請求項６】
照明光を射出する照明光用光源を有する照明光ユニットと、
前記照明光または励起光を導光して被観察部へ照射する第1導光手段と、
前記照明光が照射された前記被観察部の像または前記励起光が照射された前記被観察部の蛍光像を撮像する撮像手段と、
該撮像手段により撮像された前記被観察部の像に基づいて通常画像を生成し、また該撮像素子により撮像された前記被観察部の蛍光像に基づいて蛍光画像を生成する画像処理手段とを備えた内視鏡装置の前記照明光ユニットと着脱自在に接続され、前記励起光を射出する励起光用光源を有する励起光ユニットであって、
該励起光ユニットが前記照明光ユニットへ接続されているか否かを検知する検知手段と、
該検知手段により前記励起光ユニットが前記照明光ユニットへ接続されていないことが検知された場合には、前記励起光が前記励起光ユニットから外部へ射出することを阻止する阻止手段とを備えることを特徴とする励起光ユニット。
【手続補正書】
【提出日】平成23年5月12日(2011.5.12)
【手続補正１】
【補正対象書類名】特許請求の範囲
【補正対象項目名】全文
【補正方法】変更
【補正の内容】
【特許請求の範囲】
【請求項１】
電気機器と、
前記電気機器の動作を制御する上で用いられる機器制御用手段と、
前記機器制御用手段を冷却する冷却手段と、
前記電気機器の制御状態に応じて冷却の度合いを変化させるべく前記冷却手段を制御する冷却制御手段と、
を備えたことを特徴とする遊技機。
【請求項２】
前記電気機器の制御状態として、処理負荷が相違する複数種の負荷制御状態が設定されており、
前記複数種の負荷制御状態それぞれに対応させて設定された冷却期間を記憶する冷却期間記憶手段を備え、
前記冷却期間記憶手段は、前記複数種の負荷制御状態のうち処理負荷が大きい負荷制御状態の方が長くなるよう前記冷却期間を記憶しており、
前記冷却制御手段は、前記負荷制御状態となった場合に、当該負荷制御状態に対応した冷却期間に亘り、前記冷却手段を予め定められた特定作動状態に制御することを特徴とする請求項１に記載の遊技機。
【請求項３】
前記冷却手段が前記機器制御用手段を冷却している期間を計測する期間計測手段と、
前記冷却手段が前記特定作動状態に制御されている期間において前記負荷制御状態となった場合、前記冷却手段が前記特定作動状態に制御される期間を、当該負荷制御状態に対応した前記冷却期間分延長するよう前記期間計測手段を制御する冷却期間制御手段と、
を備えていることを特徴とする請求項２に記載の遊技機。
【請求項４】
遊技者に有利な特別遊技状態を発生させるか否かの特別抽選を実行する抽選手段と、
前記抽選手段による特別抽選に当選したことに基づいて、前記特別遊技状態を発生させる特別遊技状態発生手段と、
を備えた遊技機において、
前記特別遊技状態における処理が前記負荷制御状態として設定されているものであり、
前記期間計測手段は、前記特別遊技状態が終了した場合に、前記冷却手段が前記特定作動状態に制御されている期間の計測を開始することを特徴とする請求項３に記載の遊技機。
【請求項５】
前記電気機器は、演出を実行する演出実行装置であり、
前記複数種の負荷制御状態として処理負荷が異なる複数種の処理負荷演出を記憶する演出記憶手段と、
前記処理負荷演出を実行するか否かを演出抽選する演出抽選手段と、
前記演出抽選手段による前記演出抽選に当選した場合に、前記処理負荷演出を実行するよう前記演出実行装置を制御する演出制御手段と、
を備え、
前記冷却制御手段は、前記処理負荷演出が前記演出実行装置にて実行される場合に、当該処理負荷演出に対応した冷却期間に亘り、前記冷却手段の作動状態が前記特定作動状態よりも前記冷却手段の出力が小さい作動状態から前記特定作動状態に移行するよう前記冷却手段を制御することを特徴とする請求項２乃至４のいずれか１に記載の遊技機。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正書】
【提出日】平成23年5月12日(2011.5.12)
【手続補正１】
【補正対象書類名】特許請求の範囲
【補正対象項目名】全文
【補正方法】変更
【補正の内容】
【特許請求の範囲】
【請求項１】
電気機器と、
前記電気機器の動作を制御する上で用いられる機器制御用手段と、
前記機器制御用手段を冷却する冷却手段と、
前記電気機器の制御状態に応じて前記冷却手段の冷却度合いを変化させるべく前記冷却手段を制御する冷却制御手段と、
を備え、
前記電気機器の制御状態として、処理負荷が異なる複数種の負荷制御状態が設定されており、
処理負荷が大きい負荷制御状態に対応したものほど前記冷却手段の出力が大きくなるように、前記複数種の負荷制御状態に対応させて設定された前記冷却手段の出力状態を記憶する出力状態記憶手段を備え、
前記冷却制御手段は、前記負荷制御状態となった場合に、当該負荷制御状態に対応した出力状態となるよう前記冷却手段を制御することを特徴とする遊技機。
【請求項２】
前記冷却制御手段は、前記負荷制御状態となっている期間及び当該負荷制御状態の終了後の予め定められた冷却期間において、前記負荷制御状態に対応した出力状態となるよう前記冷却手段を制御することを特徴とする請求項１に記載の遊技機。
【請求項３】
前記冷却制御手段は、前記冷却期間において前記負荷制御状態となった場合に、前記冷却手段の出力状態が当該負荷制御状態に対応した出力状態よりも出力が大きい出力状態となるよう前記冷却手段を制御することを特徴とする請求項２に記載の遊技機。
【請求項４】
前記冷却制御手段は、前記冷却期間において前記負荷制御状態となった場合、前記冷却手段の出力状態が、当該負荷制御状態に対応した前記出力状態よりも出力が大きく且つそれまでの出力状態よりも出力が大きくなるよう前記冷却手段を制御することを特徴とする請求項３に記載の遊技機。
【請求項５】
前記電気機器は、演出を実行する演出実行装置であり、
前記複数種の負荷制御状態として処理負荷が異なる複数種の処理負荷演出を記憶する演出記憶手段と、
前記処理負荷演出を実行するか否かを演出抽選する演出抽選手段と、
前記演出抽選手段による前記演出抽選に当選した場合に、前記処理負荷演出を実行するよう前記演出実行装置を制御する演出制御手段と、
を備え、
前記冷却制御手段は、前記処理負荷演出が前記演出実行装置にて実行される場合に、当該処理負荷演出に対応した出力状態となるよう前記冷却手段の出力状態を制御することを特徴とする請求項１乃至４のいずれか１に記載の遊技機。
【手続補正２】
【補正対象書類名】明細書
【補正対象項目名】０００８
【補正方法】変更
【補正の内容】
【０００８】
請求項１記載の発明では、電気機器と、前記電気機器の動作を制御する上で用いられる機器制御用手段と、前記機器制御用手段を冷却する冷却手段と、前記電気機器の制御状態に応じて前記冷却手段の冷却度合いを変化させるべく前記冷却手段を制御する冷却制御手段と、を備え、前記電気機器の制御状態として、処理負荷が異なる複数種の負荷制御状態が設定されており、処理負荷が大きい負荷制御状態に対応したものほど前記冷却手段の出力が大きくなるように、前記複数種の負荷制御状態に対応させて設定された前記冷却手段の出力状態を記憶する出力状態記憶手段を備え、前記冷却制御手段は、前記負荷制御状態となった場合に、当該負荷制御状態に対応した出力状態となるよう前記冷却手段を制御することを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正書】
【提出日】平成23年2月2日(2011.2.2)
【手続補正１】
【補正対象書類名】特許請求の範囲
【補正対象項目名】全文
【補正方法】変更
【補正の内容】
【特許請求の範囲】
【請求項１】
照明光が照射された被観察部の反射光からなる像および前記照明光と同時に励起光が照射された前記被観察部から発せられる蛍光からなる像を撮像し、
撮像された前記反射光からなる像に基づいて通常画像を生成し、撮像された前記蛍光からなる像に基づいて蛍光画像を生成する蛍光画像取得方法であって、
前記通常画像の代表輝度値が所定輝度値となるように前記照明光の光量を制御し、かつ前記照明光の光量に対して前記励起光の光量が予め設定された比率となるように前記励起光の光量を制御することを特徴とする蛍光画像取得方法。
【請求項２】
照明光および励起光を同時に被観察部へ照射する光照射手段と、
前記照明光が照射された前記被観察部の反射光からなる像および前記励起光が照射された前記被観察部から発せられる蛍光からなる像を撮像する撮像手段と、
該撮像手段により撮像された前記反射光からなる像に基づいて通常画像を生成し、また該撮像手段により撮像された前記蛍光からなる像に基づいて蛍光画像を生成する画像処理手段とを備えた蛍光画像取得装置であって、
前記通常画像の代表輝度値が所定輝度値となるように前記照明光の光量を制御し、かつ前記照明光の光量に対して前記励起光の光量が予め設定された比率となるように前記励起光の光量を制御する光量制御手段を備えることを特徴とする蛍光画像取得装置。
【請求項３】
前記照明光の光量に対する前記励起光の光量の比率を入力操作により設定する設定手段を備えていることを特徴とする請求項２記載の蛍光画像取得装置。
【請求項４】
擬似分光画像処理用の推定マトリクスを記憶する記憶部と、
前記撮像手段から出力された画像信号と前記推定マトリクスとを用いて、前記画像信号の画素毎に推定分光データを算出する推定分光データ算出手段とを備え、
前記画像処理手段が、前記画素毎の推定分光データから、少なくとも前記蛍光の中心波長帯域を含む波長帯域である特定蛍光波長帯域の推定分光データを求め、該特定蛍光波長帯域の推定分光データに基づいて蛍光画像を生成するものであることを特徴とする請求項２または３記載の蛍光画像取得装置。
【請求項５】
前記画像処理手段が、前記特定蛍光波長帯域の推定分光データから、前記特定蛍光波長帯域における光強度である擬似蛍光強度を算出し、さらに、前記特定蛍光波長帯域を含まない波長帯域である参照波長帯域の推定分光データを求め、該参照波長帯域の推定分光データから前記参照波長帯域の光強度である参照光強度を算出し、前記擬似蛍光強度を前記参照強度により除算した擬似蛍光収率を算出し、該擬似蛍光収率に基づいて前記蛍光画像を生成するものであることを特徴とする請求項４記載の蛍光画像取得装置。
【手続補正書】
【提出日】平成23年5月17日(2011.5.17)
【手続補正１】
【補正対象書類名】特許請求の範囲
【補正対象項目名】全文
【補正方法】変更
【補正の内容】
【特許請求の範囲】
【請求項１】
挿入部の先端部に搭載される撮像装置と、
前記挿入部に連設され、フレーム部材が内蔵された操作部と、
該操作部から延出し、外部機器に接続される電気ケーブルと、
を備え、
前記フレーム部材が前記挿入部と前記電気ケーブルのシールドを電気的に接続すると共に、該フレーム部材に前記撮像装置と信号を授受する各種電子部品が実装された回路基板部を備えていることを特徴とする電子内視鏡装置。
【請求項２】
前記各種電子部品が前記撮像装置の固体撮像素子の入力側電子部品、及び出力側電子部品を備え、
前記回路基板部が前記外部機器と前記固体撮像素子との信号を授受する中継回路であることを特徴とする請求項１に記載の電子内視鏡装置。
【請求項３】
前記挿入部には、処置具を挿通するための処置具チャンネルが挿通配置され、
前記処置具チャンネルの開口部が前記固体撮像素子へ延設されるケーブルが接続される前記回路基板部のコネクタから所定の距離に離間するように、前記操作部に配設されていることを特徴とする請求項２に記載の電子内視鏡装置。
【請求項４】
前記回路基板部が前記フレーム部材の一面から所定の距離に離間して平行配置された前記各種電子部品が実装された硬質基板を有していることを特徴とする請求項３に記載の電子内視鏡装置。
【請求項５】
前記処置具チャンネルが前記外部機器側へ前記電気ケーブル内に延設されたチューブ体と連通するように接続され、
前記チューブ体が前記硬質基板の一辺側部に沿った前記フレーム部材と前記硬質基板との間に配置されていることを特徴とする請求項４に記載の電子内視鏡装置。
【請求項６】
前記回路基板部が前記各種電子部品を実装された、信号層とグランド層が積層されたフレキシブルプリント基板を有し、
前記フレキシブルプリント基板が外部から前記各種電子部品に対する電磁的な不干渉性、及び耐性を保持するように、前記グランド層が表面側に位置するように前記各種電子部品を包囲して、包袋状に変形されて、前記フレーム部材上に配置されていることを特徴とする請求項２に記載の電子内視鏡装置。
【手続補正２】
【補正対象書類名】明細書
【補正対象項目名】００１２
【補正方法】変更
【補正の内容】
【００１２】
上記目的を達成すべく、本発明の電子内視鏡装置は、挿入部の先端部に搭載される撮像装置と、前記挿入部に連設され、フレーム部材が内蔵された操作部と、該操作部から延出し、外部機器に接続される電気ケーブルと、を備え、前記フレーム部材が前記挿入部と前記電気ケーブルのシールドを電気的に接続すると共に、該フレーム部材に前記撮像装置と信号を授受する各種電子部品が実装された回路基板部を備えていることを特徴とする。
【手続補正書】
【提出日】平成23年4月14日(2011.4.14)
【手続補正１】
【補正対象書類名】特許請求の範囲
【補正対象項目名】全文
【補正方法】変更
【補正の内容】
【特許請求の範囲】
【請求項１】
被写体を撮像することにより撮像素子によって生成され、前記被写体の光学像を形成する複数の画素に対応する複数の画素信号によって構成される画像信号を受信する受信部と、
前記受信部が受信する前記画像信号が生体組織に蛍光を生じさせる励起光を前記被写体に対して照射したときに生成される蛍光画像信号であるときに、複数の前記画素信号に対応する複数の色差に基づいて求められる代表値を基準値に合致させるように、前記画素信号に信号処理を施す基準値補正部とを備える
ことを特徴とする内視鏡プロセッサ。
【請求項２】
前記基準値補正部は、
前記画素信号に基づいて、前記色差に相当する色差信号を生成する色差生成部と、
単一の前記画像信号を構成する複数の前記画素に対応する前記色差信号に基づいて、前記代表値を算出する代表値算出部と、
前記代表値を前記基準値に合致させるように、前記画素毎の前記色差信号を補正する補正部とを備える
ことを特徴とする請求項１に記載の内視鏡プロセッサ。
【請求項３】
前記代表値は、前記複数の色差の度数分布が最大となる色差、または前記複数の色差の平均値であることを特徴とする請求項１または請求項２に記載の内視鏡プロセッサ。
【請求項４】
前記基準値に一致する色差信号は無彩色であることを特徴とする請求項１〜請求項３のいずれか１項に記載の内視鏡プロセッサ。
【請求項５】
前記画素信号に基づいて、前記画素信号に対応する輝度信号を生成する輝度生成部と、
同じ前記画素における、前記励起光より帯域の広い参照光を照射したときの被写体を撮像するときに前記撮像素子が生成する参照画像信号に基づく前記輝度信号と、前記蛍光画像信号に基づく前記輝度信号との差である輝度差を算出する輝度差算出部と、
前記輝度差に基づいて、前記基準値補正部により信号処理を施された前記画素信号である基準補正画素信号を調整することにより、色強調画素信号を生成する色強調処理部とを備える
ことを特徴とする請求項１〜請求項４のいずれか１項に記載の内視鏡プロセッサ。
【請求項６】
前記色強調処理部は、前記基準補正画素信号の色差と前記基準値との差である調整色差を増加させることにより、前記基準補正画素信号を調整することを特徴とする請求項５に記載の内視鏡プロセッサ。
【請求項７】
前記色強調処理部は、前記輝度差が大きくなるほど、前記調整色差を大きく増加させることを特徴とする請求項６に記載の内視鏡プロセッサ。
【請求項８】
前記色強調処理部による前記調整色差の増加率を変更する入力をするための入力部を備えることを特徴とする請求項６または請求項７に記載の内視鏡プロセッサ。
【請求項９】
前記色強調処理部は、生成させた前記色強調画素信号に対応する前記画素である注目画素の周囲の前記画素である周囲画素における前記輝度差を用いて前記色強調画素信号を生成することにより、前記色強調画素信号を微調整することを特徴とする請求項５〜請求項８のいずれか１項に記載の内視鏡プロセッサ。
【請求項１０】
前記周囲画素の輝度差を用いて前記注目画素の輝度差に微分フィルタ処理、ラプラシアンフィルタ処理、またはメディアンフィルタ処理を施して求めた前記輝度差に基づいて、前記色強調処理部は基準補正画素信号を調整することにより前記色強調画素信号が微調整することを特徴とする請求項９に記載の内視鏡プロセッサ。
【請求項１１】
前記色強調処理部は、前記注目画素の輝度の順番と前記周囲画素及び前記注目画素の集団の輝度の順番の中央値との差に応じて前記色強調画像信号を微調整することを特徴とする請求項９に記載の内視鏡プロセッサ。
【請求項１２】
前記色強調画素信号を微調整するために用いられる前記周囲画素の数を変更することが可能であることを特徴とする請求項９〜請求項１１のいずれか１項に記載の内視鏡プロセッサ。
【請求項１３】
照射した生体組織に蛍光を発光させる励起光を、被写体に供給する励起光源と、
前記被写体を撮像することにより、前記被写体の光学像を形成する複数の画素に対応する複数の画素信号によって構成される画像信号を生成する電子内視鏡と、
前記内視鏡が生成する前記画像信号が前記励起光を前記被写体に対して照射したときに生成される蛍光画像信号であるときに、複数の前記画素信号に対応する複数の色差に基づいて求められる代表値を基準値に合致させるように、前記画素信号に信号処理を施す基準値補正部とを備える
ことを特徴とする内視鏡システム。
【手続補正書】
【提出日】平成23年5月18日(2011.5.18)
【手続補正１】
【補正対象書類名】特許請求の範囲
【補正対象項目名】全文
【補正方法】変更
【補正の内容】
【特許請求の範囲】
【請求項１】
遊技領域内に配置され遊技媒体が入賞可能な始動口と、
該始動口に遊技媒体が入賞したことを検出する第一入賞状態検出手段と、
該第一入賞状態検出手段による前記遊技媒体の検出に基づいて抽選を行う抽選手段と、
該抽選手段の抽選結果が当りである場合には、遊技者に利益を付与する利益付与状態に制御する利益付与状態制御手段と、
開閉入賞装置が閉状態から開状態に変化したときに前記遊技媒体が入賞可能な大入賞口と、
該大入賞口に遊技媒体が入賞したことを検出する第二入賞状態検出手段と、
前記利益付与状態制御手段により前記利益付与状態に制御したときに、前記開閉入賞装置を所定の開閉動作で制御する大入賞口開閉制御手段と、
前記第二入賞状態検出手段による前記遊技媒体の検出に基づいて所定数の遊技媒体を払い出す払出手段と、
前記利益付与状態後の抽選において前記利益付与状態に制御される確率を通常時よりも高い高確率状態に制御する高確率状態制御手段と、を備えた遊技機において、
前記抽選手段の抽選結果が当りとなるのを契機として、前記利益付与状態後の抽選において前記高確率状態に制御することで、前記利益付与状態が連続的に繰り返される態様を複数回にわたって制御可能とする連続利益付与状態制御手段と、
該連続利益付与状態制御手段により制御可能とする前記利益付与状態の回数を複数種類記憶する利益付与回数記憶手段と、
前記複数種類の利益付与状態の回数からいずれかの回数を決定する利益付与回数決定手段と、をさらに備え、
前記利益付与回数記憶手段には、前記複数種類の利益付与状態の回数から算出される加重平均が所定回数となるように、前記加重平均よりも多い利益付与状態の回数となる第一利益付与回数と、前記加重平均よりも少ない利益付与状態の回数となる第二利益付与回数と、が記憶されるものであり、
前記連続利益付与状態制御手段は、前記利益付与回数決定手段により決定された前記第一利益付与回数または前記第二利益付与回数に達するまで、前記抽選手段の抽選結果が当りとなるごとに前記利益付与状態に制御することで、前記払出手段により前記遊技媒体が払い出されることを特徴とする遊技機。
【請求項２】
前記遊技領域に向けて遊技媒体を打ち込む発射手段を備えることを特徴とする請求項１記載の遊技機。
【請求項３】
前記第一入賞状態検出手段による前記遊技媒体の検出に基づいて乱数を取得する乱数取得手段を備え、
前記抽選手段は、前記乱数取得手段により取得された乱数に基づいて抽選を行うことを特徴とする請求項１または請求項２に記載の遊技機。
【手続補正書】
【提出日】平成23年5月18日(2011.5.18)
【手続補正１】
【補正対象書類名】特許請求の範囲
【補正対象項目名】全文
【補正方法】変更
【補正の内容】
【特許請求の範囲】
【請求項１】
遊技領域内に配置され遊技媒体が入賞可能な始動口と、
該始動口に遊技媒体が入賞したことを検出する入賞状態検出手段と、
該入賞状態検出手段による前記遊技媒体の検出に基づいて抽選を行う抽選手段と、
所定の開閉動作を行い、閉状態から開状態に変化したときに前記遊技媒体が入賞可能となる開閉入賞装置と、
前記抽選手段の抽選結果が当りである場合には、前記開閉入賞装置の開閉動作を行うことで、遊技者に利益を付与する利益付与状態に制御する利益付与状態制御手段と、
遊技の進行に伴う遊技状態に関する所定の演出画像が表示可能な演出表示装置と、
該演出表示装置の表示領域に少なくとも前記抽選手段の抽選結果に基づく演出画像を表示制御する演出表示制御手段と、を備えた遊技機において、
前記利益付与状態後の抽選において前記利益付与状態に制御される確率を通常時よりも高い高確率状態に制御する高確率状態制御手段と、
遊技者が操作可能な操作手段と、
該操作手段の操作を検出する操作検出手段と、をさらに備え、
前記演出表示制御手段は、
少なくとも前記高確率状態制御手段により次回に前記利益付与状態に制御されるまでの間、前記抽選の有無に関わらず一連の演出画像を継続して表示制御する連続演出表示制御手段と、
前記操作検出手段による前記操作手段の検出に基づいて前記一連の演出画像を一時停止可能に表示制御する連続演出操作制御手段と、を備えることを特徴とする遊技機。
【請求項２】
前記遊技領域に向けて遊技媒体を打ち込む発射手段を備えることを特徴とする請求項１記載の遊技機。
【請求項３】
前記入賞状態検出手段による前記遊技媒体の検出に基づいて乱数を取得する乱数取得手段を備え、
前記抽選手段は、前記乱数取得手段により取得された乱数に基づいて抽選を行うことを特徴とする請求項１または請求項２に記載の遊技機。
【手続補正書】
【提出日】平成23年5月2日(2011.5.2)
【手続補正１】
【補正対象書類名】特許請求の範囲
【補正対象項目名】請求項６
【補正方法】変更
【補正の内容】
【請求項６】
請求項1記載の磁気共鳴イメージング装置において、
前記制御手段は、画像情報を記憶する画像情報記憶手段と、
前記プロトコル設定手段が決定した撮像プロトコルと同じプロトコルで撮像された過去の画像を前記画像情報記憶手段から読み出し、前記過去の画像におけるスライス位置と前記スライス設定手段が決定したスライス位置とを比較する比較手段と、
前記比較手段の比較結果に基き前記スライス設定手段が決定したスライス位置を調整するスライス調整手段と、
を備えたことを特徴とする磁気共鳴イメージング装置。
【手続補正書】
【提出日】平成23年4月18日(2011.4.18)
【手続補正１】
【補正対象書類名】特許請求の範囲
【補正対象項目名】請求項１
【補正方法】変更
【補正の内容】
【請求項１】
静磁場を被検体に印加する静磁場印加部と、傾斜磁場を前記被検体に印加する傾斜磁場印加部と、高周波磁場パルスを前記被検体に照射する高周波磁場パルス照射部と、前記被検体から核磁気共鳴信号を検出する検出部と、前記高周波磁場パルス照射部、前記傾斜磁場印加部および検出部を制御し、所定の撮像パルスシーケンスを実行させる制御部とを有し、
前記制御部は、前記撮像パルスシーケンスとして、複数の高周波磁場の照射と複数種類の位相エンコード量の付与のための複数の前記傾斜磁場の印加を伴う１以上のシーケンスグループを実行させ、前記１以上のシーケンスグループごとに前記高周波磁場パルスのフリップ角を設定することを特徴とする核磁気共鳴イメージング装置。
【手続補正２】
【補正対象書類名】明細書
【補正対象項目名】００１６
【補正方法】変更
【補正の内容】
【００１６】
上記目的を達成するために、本発明によれば以下のような核磁気共鳴イメージング装置が提供される。すなわち、静磁場を被検体に印加する静磁場印加部と、傾斜磁場を被検体に印加する傾斜磁場印加部と、高周波磁場パルスを被検体に照射する高周波磁場パルス照射部と、被検体から核磁気共鳴信号を検出する検出部と、高周波磁場パルス照射部、傾斜磁場印加部および検出部を制御し、所定の撮像パルスシーケンスを実行させる制御部とを有する。制御部は、撮像パルスシーケンスとして、複数の高周波磁場の照射と複数種類の位相エンコード量の付与のための複数の傾斜磁場の印加を伴う１以上のシーケンスグループを実行させ、１以上のシーケンスグループごとに高周波磁場パルスのフリップ角を設定する。シーケンスグループごとにフリップ角を設定することにより、SN比や画像コントラストの低下を防止しながらSARの低減が可能である。
【手続補正書】
【提出日】平成23年6月17日(2011.6.17)
【手続補正１】
【補正対象書類名】特許請求の範囲
【補正対象項目名】全文
【補正方法】変更
【補正の内容】
【特許請求の範囲】
【請求項１】
塊状のゼオライトが収容されたケースを有し、該ケースには空気流入口と空気流出口が形成されていて、該ケース内の前記ゼオライトを水で溶かし、その酸性の溶液に、前記空気流入口からケース内に流入した臭気成分を含む空気を接触させ、次いでその空気を前記空気流出口からケース外に流出させる酸脱臭器と、石灰石が収容されたケースを有し、該ケースには空気流入口と空気流出口が形成されていて、該ケース内の石灰石を水で溶かし、そのアルカリ性の溶液に、前記空気流入口からケース内に流入した臭気成分を含む空気を接触させ、次いでその空気を前記空気流出口からケース外に流出させるアルカリ脱臭器とを具備し、前記酸脱臭器のケースとアルカリ脱臭器のケースは互いに連通していて、臭気を含む空気を、先ず酸脱臭器のケース内を通過させ、次いでアルカリ脱臭器のケース内を通過させることを特徴とする脱臭装置。
【請求項２】
塊状のゼオライトが収容されたケースを有し、該ケースには空気流入口と空気流出口が形成されていて、該ケース内の前記ゼオライトを水で溶かし、その酸性の溶液に、前記空気流入口からケース内に流入した臭気成分を含む空気を接触させ、次いでその空気を前記空気流出口からケース外に流出させる酸脱臭器と、石灰石が収容されたケースを有し、該ケースには空気流入口と空気流出口が形成されていて、該ケース内の石灰石を水で溶かし、そのアルカリ性の溶液に、前記空気流入口からケース内に流入した臭気成分を含む空気を接触させ、次いでその空気を前記空気流出口からケース外に流出させるアルカリ脱臭器とを具備し、前記酸脱臭器のケースとアルカリ脱臭器のケースは互いに連通していて、臭気を含む空気を、先ずアルカリ脱臭器のケース内を通過させ、次いで酸脱臭器のケース内を通過させることを特徴とする脱臭装置。
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
本発明は、塊状のゼオライトが収容されたケースを有し、該ケースには空気流入口と空気流出口が形成されていて、該ケース内の前記ゼオライトを水で溶かし、その酸性の溶液に、前記空気流入口からケース内に流入した臭気成分を含む空気を接触させ、次いでその空気を前記空気流出口からケース外に流出させる酸脱臭器と、石灰石が収容されたケースを有し、該ケースには空気流入口と空気流出口が形成されていて、該ケース内の石灰石を水で溶かし、そのアルカリ性の溶液に、前記空気流入口からケース内に流入した臭気成分を含む空気を接触させ、次いでその空気を前記空気流出口からケース外に流出させるアルカリ脱臭器とを具備し、前記酸脱臭器のケースとアルカリ脱臭器のケースは互いに連通していて、臭気を含む空気を、先ず酸脱臭器のケース内を通過させ、次いでアルカリ脱臭器のケース内を通過させることを特徴とする脱臭装置を提案する。
【手続補正書】
【提出日】平成23年6月20日(2011.6.20)
【手続補正１】
【補正対象書類名】特許請求の範囲
【補正対象項目名】全文
【補正方法】変更
【補正の内容】
【特許請求の範囲】
【請求項１】
インクを収容可能なインク収容部と、該インク収容部内の前記インクの有無を光学的に検知するのに用いられる光反射部と、を備えたインクタンクにおいて、
前記光反射部は外部から照射される照射光を反射し、反射した反射光を前記インクタンクに取り付けられた発光物質に照射するものであって、
前記発光物質は前記反射光を照射されることで励起されて、前記照射光とは異なる波長の光を発光することを特徴とするインクタンク。
【請求項２】
前記光反射部は、前記インクが前記インク収容部内に存在する場合には、前記照射光を前記発光物質へ全反射して、
前記インクが前記インク収容部内に存在しない場合には、前記照射光を透過させることを特徴とする請求項１に記載のインクタンク。
【請求項３】
インクの有無を光学的に検知するのに用いられる光反射部を備えたインクタンクを搭載可能な記録装置であって、
前記インクタンクの前記光反射部に光を照射する発光手段と、
前記インクタンクが備えた、前記光反射部からの反射光を受光可能な発光物質が発光する光を受光可能な受光手段と、
を備え、
前記発光手段の発光する光の波長と、前記受光手段が受光する光の波長とは異なることを特徴とする記録装置。
【請求項４】
インクを収容可能なインク収容手段と、該インク収容手段の中の前記インクの有無を光学的に検知するのに用いられる光反射手段と、を備えたインク残量検知システムであり、
前記光反射手段に光を照射する第１の発光手段と、
該第１の発光手段から発光される光が、前記光反射手段で反射し反射光となって照射されることで励起されて、前記光とは異なる波長の光を発光する第２の発光手段と、
該第２の発光手段が発光する光を受光可能な受光手段と、
を備えたことを特徴とするインク残量検知システム。
【請求項５】
インク収容部に収容されたインクの残量を検知するインク残量検知方法において、
前記インク収容部内のインクの有無を光学的に検出するのに用いられる光反射部を準備する工程と、
前記反射部からの反射光の光路に、外部から照射される照射光によって励起され発光する発光物質を準備する工程と、
前記光反射部に光を照射する発光工程と、
前記発光物質によって発光された光を受光する受光工程と、
を有し、
前記発光工程で発光する光の波長と、前記受光工程で受光する光の波長とは異なり、前記発光物質が発する光に基づいて、前記インク収容部内のインクの残量を検知することを特徴とするインク残量検知方法。
【手続補正２】
【補正対象書類名】明細書
【補正対象項目名】００１０
【補正方法】変更
【補正の内容】
【００１０】
そのため本発明のインクタンクは、インクを収容可能なインク収容部と、該インク収容部内の前記インクの有無を光学的に検知するのに用いられる光反射部と、を備えたインクタンクにおいて、前記光反射部は外部から照射される照射光を反射し、反射した反射光を前記インクタンクに取り付けられた発光物質に照射するものであって、前記発光物質は前記反射光を照射されることで励起されて、前記照射光とは異なる波長の光を発光することを特徴とする。